(57)【要約】      （修正有）【課題】靴への取り付け及び甲の締付具合の調節が非常に簡単に行えて、靴の脱ぎ履きや甲の締付具合の加減が行い易く、かつ靴の外観デザインの自由度を効果的に高めることができる靴紐を提供する。【解決手段】長手方向の両端それぞれに設けた紐通穴９に固定するための固定部２１と、当該固定部２１の間に設けた連結部３１とを備えた伸縮性を有する一本の紐部材からなる。固定部２１は、自然長の状態で径寸法の異なる大径部２２と小径部２３とで段差２４が形成されていると共に、自然長から引き伸ばされた状態で、大径部２３が小径化して段差２４が平坦化する。左右一対の紐通穴９それぞれに各固定部２１が有するいずれかの段差２４を係合させることで、連結部３１が左右の紐通穴９の間に掛け渡される。【選択図】図２
0003160573.tif 000002
【実用新案登録請求の範囲】
【請求項１】
靴に取り付ける靴紐であって、
前記靴の甲部に設けたスリットの両側に配列した複数の紐通穴のうち、前後方向の各段における左右一対の紐通穴の間のみに掛け渡して取り付ける長さ寸法を有し、
両端それぞれに設けられて前記紐通穴に固定される固定部と、前記固定部の間に設けた連結部とを備えた伸縮変形可能な一本の紐部材からなり、
前記固定部は、自然長の状態で径寸法の異なる大径部と小径部とで段差が形成されていると共に、自然長から引き伸ばされた状態で、前記大径部が小径化して前記段差が平坦化するように構成されており、
前記一対の紐通穴それぞれに前記各固定部の前記段差を係合させることで、前記連結部が前記一対の紐通穴の間に掛け渡されるように構成した
ことを特徴とする靴紐。
【請求項２】
前記靴紐の前記固定部には、複数の前記段部が設けられており、
前記複数の段部のいずれかを選択的に前記紐通穴に係合させるように構成した
ことを特徴とする請求項１に記載の靴紐。
【請求項３】
前記靴紐は、軸心に沿って設置した弾性を有する伸縮可能な線材と、該線材の外周を被覆する外皮とを備えており、
前記外皮における前記線材に対して弛みを持って固定された箇所で前記大径部と前記小径部とが形成されている
ことを特徴とする請求項１又は２に記載の靴紐。
【請求項４】
靴紐を取り付けた靴であって、
甲部に設けたスリットの両側に配列した複数の紐通穴のうち、前後方向に並ぶ各段それぞれにおける左右一対の紐通穴の間に掛け渡して取り付けられた複数の靴紐を備え、
前記靴紐は、請求項１乃至３のいずれかに記載の靴紐である
ことを特徴とする靴。
【考案の詳細な説明】
【技術分野】
【０００１】
本考案は、靴の紐通穴に通して取り付ける靴紐、及び該靴紐を備えた靴に関する。
【背景技術】
【０００２】
従来の紐靴は、例えば、特許文献１に示すように、靴の甲皮に設けたスリット部の左右に複数個ずつ配列した紐通穴に通して取り付けられている。靴紐は、紐通穴の前段（下段）から後段（上段）に締め上げてゆく１本の紐部材からなるタイプが一般的である。このような靴紐は、各紐通穴の間で交差させながら順次に架け渡してゆき、最上段の紐通穴から引き出した両端を結んで固定するようになっている。そして、靴紐の締め上げ強さを調節することで、足の甲に対する靴の甲皮の締付具合を調節するようになっている。
【０００３】
しかしながら、従来の１本の靴紐では、一度締め上げた後で締付具合を調整する場合や、靴を履き直す場合には、一本の長い靴紐をずらす必要がある。これには、各紐通穴に対して上側から順番に靴紐をずらしてゆかなければ、全体の締付具合を調節できない。また、靴を脱ぐ際には靴紐を緩める必要があり、再度靴を履く際には、靴紐を順次送りながら締め上げる必要がある。しかしながら、靴紐は、両側の紐通穴の間で交差しており、その部分が重なり合っている。そのため、靴紐を締め上げた状態では、重なり合った靴紐が足の甲に押え付けられた状態になっている。これにより、靴紐の締付具合を調節する作業が行い難かった。また、１本の靴紐による締め上げでは、足の甲に対する甲皮の締付具合を精細に調節できないという問題もある。
【０００４】
また、従来の一本の靴紐は、一足の靴に対して単一の色彩が通常である。さらに、紐通穴への通し方などデザインのバリエーションには限りがある。そのため、靴の自由なデザインを十分に楽しむことができないという問題がある。
【先行技術文献】
【特許文献】
【０００５】
【特許文献１】特開２００６−３１４５３０号広報
【考案の開示】
【考案が解決しようとする課題】
【０００６】
本考案は上述の点に鑑みてなされたものであり、その目的は、靴への取り付け又は甲の締付具合の調節が非常に簡単に行えて、靴の脱ぎ履きや履き具合の加減が行い易く、かつ靴の外観デザインの自由度を効果的に高めることができる靴紐、及び該靴紐を備えた靴を提供することにある。
【課題を解決するための手段】
【０００７】
上記課題を解決するため、本考案にかかる靴紐（２０）は、靴（１）の甲部（３）に設けたスリット（７）の両側に配列した複数の紐通穴（９）のうち、前後方向の各段における左右一対の紐通穴（９，９）の間に掛け渡して取り付ける長さ寸法を有し、両端それぞれに設けられて紐通穴（９，９）に固定される固定部（２１，２１）と、固定部（２１，２１）の間に設けた連結部（３１）とを備えた伸縮性を有する一本の紐部材からなり、固定部（２１）は、自然長の状態で径寸法の異なる大径部（２２）と小径部（２３）とで段差（２４）が形成されていると共に、自然長から引き伸ばされた状態で、大径部（２３）が小径化して段差（２４）が平坦化するように構成されており、一対の紐通穴（９，９）それぞれに各固定部（２１，２１）の段差（２４）を係合させることで、連結部（３１）が左右一対の紐通穴（９，９）の間に掛け渡されるように構成したことを特徴とする。
【０００８】
本考案にかかる靴紐は、靴の甲部に設けたスリットの両側に配列した複数の紐通穴のうち、前後方向の各段における左右一対の紐通穴の間に掛け渡して取り付けるものである。したがって、各段の紐通穴の間に掛け渡した靴紐の取付状態をそれぞれ調節することで、甲の各部の締付具合を任意に調節できるようになる。また、前段（下段）側の締付具合を調節する際に、靴紐を後段（上段）から順に緩めたり締めたりする必要が無いので、締付具合の調節が簡単に行えると共に、甲の各部に対する微細な締付具合の調節が可能となる。
【０００９】
また、本考案にかかる靴紐は、長手方向の両端それぞれに設けた紐通穴に固定するための固定部と、固定部の間に設けた連結部とを備えた伸縮性を有する一本の紐部材からなり、固定部は、自然長の状態で径寸法の異なる大径部と小径部とで段差が形成されていると共に、自然長から引き伸ばされた状態で、大径部が小径化して段差が平坦化するように構成されており、一対の紐通穴それぞれに各固定部の段差を係合させることで、連結部が一対の紐通穴の間に掛け渡されるように構成したので、靴紐を引張って伸ばすだけで、固定部を紐通穴に通して固定できる。したがって、靴紐を結ぶ作業が不要となり、かつ、靴紐の締付作業も不要となる。さらに、紐を履いているときに靴紐が不用意に緩むおそれがないので、靴の履き心地が向上すると共に、靴紐の結び直しや靴の履き直しが不要となる。
【００１０】
また、上記の靴紐によれば、各段の紐通穴に別々の靴紐を通すので、各段の靴紐の色などを互いに異ならせることが可能となる。これにより、従来の一本の靴紐と比べてデザインの自由度が格段に高くなり、靴の外観デザインに多彩なバリエーションを持たせることができる。また、各段の紐通穴に架け渡した複数本の靴紐を取り付けた靴は、当該靴紐を取り付けた甲部及びその周辺のデザインが従来の紐靴とは全く違ったものとなる。したがって、靴の外観デザインに斬新さを持たせることができる。なお、本考案にかかる靴紐は、従来の一本の靴紐を取り付けていた靴に対しても、付替用の靴紐として使用可能であるので、汎用性が高い。
【００１１】
また、上記の靴紐（２０）の固定部（２１）には、段部（２４）が複数形成されており、それら複数の段部（２４）のいずれかを選択的に紐通穴（９）に係合させることが可能であると良い。この構成によれば、紐通穴に係合させる段部を選択することで、靴紐による甲皮の締付具合を調節可能となる。したがって、靴を足に尚更フィットさせることができるので、靴の履き心地をさらに向上させることができる。また、この構成によれば、互いの距離が異なる紐通穴の間に掛け渡して設置する靴紐として、一種類の靴紐のみを用意すれば足りるので、靴紐の製造コストの削減、及び取扱性の向上を図ることができる。
【００１２】
また、上記の靴紐（２０）は、軸心に沿って設置した伸縮可能な線材（３２）と、該線材（３２）の外周を被覆する外皮（３５）とを備えており、外皮（３５）における線材（３２）に対して弛みを持って固定された箇所で大径部（２２）と小径部（２３）とが形成されているとよい。この構成によれば、結ぶことなく引張るだけで紐通穴に対する取り付け及び取り外しが行える靴紐を、簡単な構成で安価に実現できる。
【００１３】
また、本考案は、靴紐（２０）を取り付けた靴（１）であって、靴（１）の甲部（３）に設けたスリット（７）の両側に配列した複数の紐通穴（９）のうち、前後方向に並ぶ各段それぞれにおける左右一対の紐通穴（９，９）の間に掛け渡して取り付けられた複数の靴紐（２０）を備え、当該靴紐（２０）は、本考案にかかる上記構成の靴紐（２０）であることを特徴とする。
【００１４】
本考案にかかる靴によれば、上記の靴紐が有する効果によって、靴紐の取り付けが非常に簡単に行えると共に、脱ぎ履きや甲の締付具合の加減が行い易く、かつ、外観デザインの自由度を効果的に高めることができる。
なお、上記の括弧内の符号は、後述する実施形態における構成要素の符号を本考案の一例として示したものである。
【考案の効果】
【００１５】
本考案にかかる靴紐及び該靴紐を備えた靴によれば、靴紐の取り付けが非常に簡単に行えて、靴の脱ぎ履きや甲の締付具合の加減が行い易く、かつ靴の外観デザインの自由度を効果的に高めることができる。
【図面の簡単な説明】
【００１６】
【図１】本考案の第１実施形態にかかる靴紐を取り付けた靴を示す平面図である。
【図２】（ａ）は、靴紐を取り付けた靴の締付部を示す部分拡大図であり、（ｂ）は、（ａ）のＡ−Ａ矢視を示す図である。
【図３】靴紐を示す図で、（ａ）は、両端を引張っていない自然長の状態を示す図、（ｂ）は、両端を引張って伸ばした状態を示す図である。
【図４】靴紐の内部構造を説明するための断面図で、（ａ）は、両端を引張っていない自然長の状態を示す図、（ｂ）は、両端を引張って伸ばした状態を示す図である。
【図５】靴紐を他の態様で取り付けた靴の締付部を示す部分拡大図である。
【図６】本考案の第２実施形態にかかる靴紐を取り付けた靴を示す平面図である。
【図７】（ａ）は、靴紐を取り付けた靴の締付部を示す部分拡大図であり、（ｂ）は、（ａ）のＡ−Ａ矢視を示す図である。
【図８】第２実施形態の靴紐を示す図で、（ａ）は、両端を引張っていない自然長の状態を示す図、（ｂ）は、両端を引張って伸ばした状態を示す図である。
【図９】第２実施形態の靴紐を他の態様で取り付けた靴の締付部を示す部分拡大図である。
【考案を実施するための形態】
【００１７】
以下、添付図面を参照して本考案の実施形態を詳細に説明する。
〔第１実施形態〕
図１は、本考案の一実施形態にかかる靴紐２０を取り付けた靴１を示す平面図である。また、図２（ａ）は、靴紐２０を取り付けた靴１の締付部６を示す部分拡大図であり、同図（ｂ）は、（ａ）のＡ−Ａ矢視を示す図である。また、図３は、靴紐２０を示す図で、（ａ）は、両端を引張っていない自然長の状態を示す図、（ｂ）及び（ｃ）は、両端を引張って伸ばした状態を示す図である。
【００１８】
まず、本実施形態にかかる靴紐２０を取り付ける靴（紐靴）１について説明する。なお、以下の説明では、靴１のつま先側を前側、かかと側を後側と称す。図１に示すように、靴１は、従来からある一般的な紐靴の構成を備えたものであり、足のつま先側からかかと側にかけての甲部分及び足首部分を覆う甲皮３と、足裏部分を覆う底部４とで構成されている。そして、甲皮３のかかと側には、足を挿入するための足挿入口５が形成されており、甲皮３のつま先側と足挿入口５との間には、靴紐２０による締め付けを行うための締付部６が設けられている。締付部６は、靴１を履く際に足挿入口５を拡径する機能と、靴１を履いた状態で足の甲に対する甲皮３の締付具合を調節する機能とを有する部分である。
【００１９】
締付部６は、足挿入口５の前縁部から前側に向かって形成された帯状の切り込みからなるスリット部７と、該スリット部７の両側に配置された甲皮３の左端辺８ａと右端辺８ｂとに沿って設けた複数個ずつ（図では５個ずつ）の紐通穴９，９とを備えている。また、スリット部７の下側には、スリット部７を塞ぐための舌片１０が設置されている。舌片１０は、スリット部７から出て足挿入口５内に延びている。紐通穴９，９には、本実施形態にかかる靴紐２０が挿通されている。靴紐２０は、複数本（図では５本）が互いに平行に設置されている。
【００２０】
締付部６では、靴紐２０の緊縛操作及び弛緩操作によって、スリット部７の両側の左端辺８ａと右端辺８ｂとの相対距離を適宜に調節することで、足の甲に対する甲皮３の締付具合を所望の状態に調節することができる。
【００２１】
靴紐２０は、図３に示すように、その長手方向の両端に設けた紐通穴９，９に固定するための固定部２１，２１と、両側の固定部２１，２１の間に設けたそれらを連結する連結部３１とを有する一本の紐状に形成されている。この靴紐２０は、図１及び図２に示すように、靴１の締付部６に配列した複数の紐通穴９，９のうち、前後方向の各段に配置された左右一対の紐通穴９，９の間のみに掛け渡して取り付けるのに必要十分な長さ寸法を有している。したがって、従来の一般的な靴紐（一本の靴紐をすべての紐通穴９に架け渡すもの）よりも大幅に短い寸法である。
【００２２】
靴紐２０の固定部２１は、長手方向に沿って複数が配列された玉状の大径部２２と、隣接する大径部２２の間に配置された環状の窪みからなる小径部２３とを備え、大径部２２と小径部２３の境界に段部２４が形成された多段形状の外周面を有している。各図では、固定部２１には、５個の大径部２２が配列されており、各大径部２２の間には、小径部２３が設けられている。そして、靴紐２０が自然長の状態では、固定部２１の小径部２３の太さが連結部３１の太さと同程度に設定されており、大径部２２の太さ（直径）は、連結部３１よりも太い寸法に設定されている。また、大径部２２の太さは、靴１の紐通穴９の径寸法（一般的な紐通穴９の径寸法）よりも大きな寸法に設定されており、かつ、小径部２３の太さは、紐通穴９の径寸法よりも小さな寸法に設定されている。
【００２３】
図４は、靴紐２０の内部構造を説明するための断面図で、（ａ）は、両端を引張っていない自然長の状態を示す図、（ｂ）は、両端を引張って伸ばした状態を示す図である。同図に示すように、靴紐２０は、内側の軸心に沿って設置したゴムなどの弾性を有する伸縮可能な部材からなる線材３２と、該線材３２の外周を被覆する外皮３５とを備えて構成されている。外皮３５は、僅かな伸縮性を有する布材などであっても良いし、布材よりも大きな伸縮性を有する合成樹脂製の皮膜などであってもよい。長手方向の中央に位置する連結部３１においては、外皮３５が線材３２の外面に密着している。一方、両側の固定部２１においては、外皮３５は、線材３２の外面に対してその長手方向に沿って所定間隔に配置された複数の固定点３６のみが固定されている。そして、各固定点３６の間の外皮３５は、線材３２に対して若干の弛みを有しており、線材３２から外径側に膨らんで離間している。固定点３６の部分が靴紐２０の小径部２３に対応しており、固定点３６の間で弛められた外皮３５が靴紐２０の大径部２２に対応している。なお、外皮３５の弛みで形成された大径部２２は、外力（靴を履いているときに靴紐９にかかる引張力）で容易に潰れてしまわない程度の強度を有していることが望ましい。
【００２４】
上記構成の靴紐２０では、図３（ａ）及び図４（ａ）に示すように、両端を引張っていない自然長の状態では、線材３２が伸びておらず、固定点３６の間の外皮３５がいずれも弛んだ状態になっている。これにより、固定部２１では、両側の小径部２３の間に玉形状の大径部２２が配置されており、小径部２３と大径部２２とが交互に配列された多段形状になっている。一方、靴紐２０の両端を引張って伸ばすと、固定部２１の線材３２が伸ばされる。これにより、図４（ｂ）に示すように、固定点３６の間で弛んでいた外皮３５が靴紐２０の長手方向に引張られて伸びた状態になる。そうすると、外皮３５が中心の線材３２に接近してその径が小さくなり、図３（ｂ）に示すように、固定部２１が靴紐２０の長手方向に沿って平坦な形状となる。この場合の固定部２１は、線材３２が伸ばされていることで、自然長のときの小径部２３よりもさらに小さな径寸法になっている。したがって、靴紐２０は、両端を引張って伸ばした状態にすれば、靴１の紐通穴９に簡単に通すことができる。
【００２５】
上記構成の靴紐２０は、両端を引張って伸ばした状態で、両側の固定部２１，２１それぞれを靴１のスリット部７の両側に配置した左右一対の紐通穴９，９それぞれに通す。このとき、靴紐２０は互いに同じ段の紐通穴９，９に通す。その状態で、靴紐２０の両端を引張って伸ばしている力を緩めると、靴紐２０は、元の長さに復帰する。そうすると、固定部２１の外皮３５が弛むことで、平らになっていた大径部２２が元の玉形状に戻る。これにより、紐通穴９，９がいずれかの段差２４に係合した状態で固定される。こうして、図２に示すように、靴紐２０は、両側の固定部２１，２１の段差２４，２４が紐通穴９，９に係合し、連結部３１が左右に引張られた状態でスリット部７の幅方向に掛け渡される。
【００２６】
上記と同様の手順で、前後方向の各段における左右一対の紐通穴９，９に一本ずつ靴紐２０を通して固定してゆく。こうして、図１及び図２に示すように、締付部６に複数本の靴紐２０が並べて取り付けられる。このとき、紐通穴９に係合させる段差２４の位置を適宜に選択することで、スリット部７の締付具合を調節することが可能である。さらに、各段の靴紐２０ごとに当該調節を行えることで、スリット部７の前後方向における各位置の締付具合を任意に調節することができる。
【００２７】
スリット部７の両側の紐通穴９，９に掛け渡した各靴紐２０は、その伸縮性によって、スリット部７の両側の端辺８ａ，８ｂを互いに接近させる方向に付勢している。これにより、靴１を履いた状態では、靴１の甲皮３を足の甲に対して適度な締付力で密着させることができ、靴１の良好な履き心地を確保できる。また、靴１を脱ぎ履きする際には、各靴紐２０が適度に伸びることで、紐通穴９に対する靴紐２０の固定位置（紐通穴９に係合する段部２４の位置）を変えることなく、靴１の脱ぎ履きが非常に簡単に行えるようになる。
【００２８】
図５は、本実施形態の靴紐２０を他の態様で取り付けた靴１の締付部６を示す部分拡大図である。靴紐２０は、図２に示すように、前後方向の各段における左右の紐通穴９，９に掛け渡したものを互いに平行に配列する以外にも、図５に示すように、前後に隣り合う紐通穴９の間で前後の靴紐２０を互いに交差させて取り付けてもよい。このように前後の靴紐２０を互いに交差させて取り付ければ、靴１の締付部６及びその周辺のデザインにより多彩なバリエーションを持たせることができる。
【００２９】
以上説明したように、本実施形態の靴紐２０は、靴１の甲皮３に設けたスリット部７の両側に配列した複数の紐通穴９のうち、左右一対の紐通穴９，９それぞれに固定部２１，２１が有する段差２４，２４を係合させることで、連結部３１が左右一対の紐通穴９，９の間に掛け渡されるように構成した。したがって、各段の靴紐２０の取り付け状態を調節することで、甲の各部の締付具合を任意に調節できるようになる。また、甲の前側の締付具合を調節する際に、靴紐２０を後段から順に緩めたり締めたりする必要が無いので、締付具合の調節が簡単になると共に、甲の各部に対する微細な締付具合の調節が行えるようになる。
【００３０】
また、本考案にかかる靴紐２０は、長手方向の両端それぞれに設けた固定部２１，２１と、固定部２１，２１の間に設けた連結部３１とを備えた伸縮性を有する一本の紐部材からなる。そして、固定部２１は、自然長の状態で径寸法の異なる大径部２２と小径部２３とで段差２４が形成されていると共に、自然長から引き伸ばされた状態で、大径部２３が小径化して段差２４が平坦化するように構成されている。これらによって、靴紐２０を引張って伸ばすだけで、固定部２１を紐通穴９に挿通でき、その状態で引張っている力を緩めれば、紐通穴９に段差２４を固定できる。したがって、靴紐２０を結ぶ作業が不要となり、かつ、靴紐２０の締付作業も不要となる。さらに、靴を履いているときに靴紐２０が不用意に緩むおそれがなくなるので、靴１の履き心地が向上すると共に、靴紐２０の結び直しや靴１の履き直しも不要となる。
【００３１】
また、本実施形態の靴紐２０によれば、各段の紐通穴９，９に別々の靴紐２０を通すので、各段の靴紐２０の色彩や模様などを互いに異ならせることが可能となる。これにより、本実施系形態の靴１は、従来の一本の靴紐を取り付けた靴と比較して、デザインの自由度が格段に高くなるので、外観に多彩なバリエーションを持たせることができる。したがって、各段の紐通穴９，９に架け渡した複数の靴紐２０を取り付けた靴１は、締付部６及びその周辺のデザインが従来の紐靴とは全く違ったものとなる。これにより、靴１の外観デザインに斬新さを持たせることができる。また、本実施形態の靴１では、スリット部７の両側の紐通穴９から飛び出している靴紐２０の先端が自由端になっているので、歩いたり走ったりする際に、複数の靴紐２０の先端それぞれがバラバラに揺れるようになる。これにより、靴１に動きのある視覚効果をもたらすことができる。このことによっても、靴１の外観に斬新さを持たせることができる。また、本実施形態の靴紐２０は、従来の一本の靴紐を取り付けていた靴に対しても、そのまま付替用の靴紐として使用可能である。したがって、汎用性が高いものである。
【００３２】
また、本実施形態の靴紐２０は、軸心に沿って設置した伸縮可能な線材３２と、該線材３２の外周を被覆する外皮３５とを備えており、外皮３５における線材３２に対して弛みを持って固定された箇所で、大径部２２と小径部２３とが形成されている。このような構成を採用したことで、結ぶことなく引張るだけで紐通穴９に対する取り付け及び取り外しが行える靴紐２０を、簡単な構成で安価に実現可能となる。
【００３３】
〔第２実施形態〕
次に、本考案の第２実施形態について説明する。なお、第２実施形態の説明及び対応する図面においては、第１実施形態と同一又は相当する構成部分には同一の符号を付し、以下ではその部分の詳細な説明は省略する。また、以下で説明する事項以外の事項については、第１実施形態と同じである。この点は、他の実施形態においても同様である。
【００３４】
図６は、本考案の第２実施形態にかかる靴紐２０−２を取り付けた靴１を示す平面図である。また、図７（ａ）は、靴紐２０−２を取り付けた靴１の締付部６を示す部分拡大図であり、（ｂ）は、（ａ）のＢ−Ｂ矢視を示す図である。また、図８は、第２実施形態の靴紐２０−２を示す図で、（ａ）は、両端を引張っていない自然長の状態を示す図、（ｂ）は、両端を引張って伸ばした状態を示す図である。図８に示すように、本実施形態の靴紐２０−２は、固定部２１に設けた大径部２２を１個のみとしている。また、靴紐２０−２は、弾性を有するゴム材からなる一体成型品であり、連結部３１及び固定部２１が一体のゴム材で構成されている。
【００３５】
また、本実施形態では、図８に示すように、靴１のスリット部７の両側に配列した前後方向の各段の紐通穴９に取り付ける靴紐２０−２として、長さが異なる複数種類の靴紐２０−２を用意する。これにより、スリット部７の前後方向における幅寸法の異なる箇所に対して、対応する長さの靴紐２０−２を掛け渡すことで、前後方向の各部で均等な締付具合を確保できる。
【００３６】
また、本実施形態の靴紐２０−２は、図８（ｂ）に示すように、両端を引張って伸ばすことで、ゴム材からなる玉状の大径部２２が細長形状に変形するようになっている。これにより、第１実施形態の靴紐２０と同様、両端を引張って伸ばした状態にするだけで、靴１の紐通穴９に簡単に通すことができる。
【００３７】
図９は、第２実施形態の靴紐２０−２を他の態様で取り付けた靴１を示す平面図である。本実施形態でも、靴紐２０−２は、図７に示すように、前後方向の各段における左右の紐通穴９，９に掛け渡したものを互いに平行に配列する以外にも、図９に示すように、前後に隣り合う紐通穴９の間で前後の靴紐２０−２を互いに交差させて取り付けてもよい。このように前後の靴紐２０−２を互いに交差させて取り付ければ、靴１の締付部６及びその周辺のデザインにより多彩なバリエーションを持たせることができる。
【００３８】
以上、本考案の実施形態を説明したが、本考案は上記実施形態に限定されるものではなく、実用新案登録請求の範囲、及び明細書と図面に記載された技術的思想の範囲内において種々の変形が可能である。例えば、靴紐に設ける大径部の数は、上記実施形態に示すものには限定されず、少なくとも１個を設けていれば、他の数であってもよい。また、靴紐の材質は、弾性及び伸縮性を有する材料であれば、上記のゴム材には限定されず、他の材料であってもよい。また、上記実施形態では、第１実施形態の靴紐２０は、軸心に沿って設置した伸縮可能な線材３２と、該線材３２の外周を被覆する外皮３５とを備えた構成であるが、これに代えて、第２実施形態の靴紐２０−２と同様、弾性を有するゴム材からなる一体成型品とし、連結部３１及び固定部２１を一体のゴム材で構成してもよい。また、これとは逆に、第２実施形態の靴紐２０−２の構造として、軸心の線材とその外周を被覆する外皮とを有する構造を採用してもよい。
【００３９】
また、上記の実施形態では、靴１に対する靴紐２０（２０−２）の取り付け方法として、靴紐２０における中央の連結部３１をスリット部７の下側に配置し、両端の固定部２１を紐通穴９から上方に引き出す態様で取り付けているが、これ以外にも、中央の連結部３１をスリット部７の上側に配置し、両端の固定部２１を紐通穴９から下側に引き出して甲皮３の下面側に隠すような態様で取り付けることも可能である。これによれば、靴紐２０（２０−２）を取り付けた靴１の締付部６及びその周辺のデザインにさらに多彩なバリエーションを持たせることができる。
【符号の説明】
【００４０】
１  靴（紐靴）
３  甲皮（甲部）
４  底部
５  足挿入口
６  締付部
７  スリット部
８ａ  左端辺
８ｂ  右端辺
９  紐通穴
１０  舌片
２０  靴紐
２１  固定部
２２  大径部
２３  小径部
２４  段部
３１  連結部
３２  線材
３５  外皮
３６  固定点
【図１】
0003160573.tif 000003
【図２】
0003160573.tif 000004
【図３】
0003160573.tif 000005
【図４】
0003160573.tif 000006
【図５】
0003160573.tif 000007
【図６】
0003160573.tif 000008
【図７】
0003160573.tif 000009
【図８】
0003160573.tif 000010
【図９】
0003160573.tif 000011
【手続補正書】
【提出日】平成22年4月28日(2010.4.28)
【手続補正１】
【補正対象書類名】実用新案登録請求の範囲
【補正対象項目名】請求項２
【補正方法】変更
【補正の内容】
【請求項２】
前記靴紐の前記固定部には、複数の段部が設けられており、
前記複数の段部のいずれかを選択的に前記紐通穴に係合させるように構成した
ことを特徴とする請求項１に記載の靴紐。